(57)【要約】【課題】  液晶表示装置の外観を矩形以外の形状にすることを可能とする。【解決手段】  発光素子２０，２１，２２，２３，２４，２７は、液晶表示パネル１０を照明する照明光Ｌを発する。回路基板５０は、発光素子２０，２１，２２，２３，２４，２７を搭載する。導光部材４０は、照明光Ｌを液晶表示パネル１０に導く。発光素子２０，２１，２２，２３，２４，２７は、回路基板５０に円弧状に配置されている。導光部材４０は、発光素子２０，２１，２２，２３，２４，２７が発した照明光Ｌを受光する円弧状の受光部４３，４９を有する。導光部材４０の受光部４３，４９は、受光面４３ｂ，４９ｂを有する。導光部材４０は、照明光Ｌを反射させる反射面４３ａ，４４を有する。【選択図】  図４
2013257360.tif 000002
【特許請求の範囲】
【請求項１】
液晶表示パネルと、前記液晶表示パネルを照明する照明光を発する複数の発光素子と、前記発光素子を搭載する回路基板と、前記照明光を前記液晶表示パネルに導く導光部材と、を備え、
前記発光素子は、前記回路基板に円弧状に配置されていることを特徴とする液晶表示装置。
【請求項２】
前記導光部材は、前記発光素子が発した前記照明光を受光する円弧状の受光部を有することを特徴とする請求項１に記載の液晶表示装置。
【請求項３】
前記導光部材の前記受光部は、円筒面からなる受光面を有することを特徴とする請求項２に記載の液晶表示装置。
【請求項４】
前記発光素子はサイドビュー型の発光ダイオードであると共に、前記導光部材は前記照明光を反射させる反射面を有することを特徴とする請求項１に記載の液晶表示装置。
【請求項５】
前記反射面は、液晶表示パネルの垂直方向に前記照明光を反射させる第一の反射面と、前記液晶表示パネルと平行な方向に、前記第一の傾斜面で反射された前記照明光を反射させる第二の反射面と、を有することを特徴とする請求項４に記載の液晶表示装置。
【請求項６】
少なくとも１個の前記発光素子は、前記発光素子の光軸が半径方向から所定角度を有するように配置されていることを特徴とする請求項１に記載の液晶表示装置。
【請求項７】
少なくとも１個の前記発光素子は、前記発光素子の光軸が半径方向から第一の所定角度を有し、少なくとも１個の前記発光素子は、前記発光素子の光軸が半径方向から第二の所定角度を有するように配置されていることを特徴とする請求項１に記載の液晶表示装置。
【請求項８】
前記液晶表示パネルと前記回路基板とを電気的に接続する弾性導電部材を備えることを特徴とする請求項１に記載の液晶表示装置。
【請求項９】
前記導光部材は、前記弾性導電部材を屈曲状態で保持する貫通孔を有することを特徴とする請求項８に記載の液晶表示装置。
【発明の詳細な説明】
【技術分野】
【０００１】
本発明は、矩形以外の形状である液晶表示パネルを備えた液晶表示装置に関するものである。
【背景技術】
【０００２】
従来より、液晶表示パネルを備えた液晶表示装置が種々提案されており、例えば特許文献１に開示されている。斯かる液晶表示装置は、指針式計器の指針上に液晶表示パネルを配置したものであり、この液晶表示パネルは専用のケース体を介してハウジングに固定されている。液晶表示パネルは、接続部材（可撓性配線部材またはリードピン）を用いて、回路基板に電気的に接続されている。液晶表示パネルは、発光素子が発した照明光によって透過照明される。
【先行技術文献】
【特許文献】
【０００３】
【特許文献１】特開２００６−１３３４１５号公報
【発明の概要】
【発明が解決しようとする課題】
【０００４】
しかしながら、液晶表示パネルの表示領域を矩形以外の所定形状（例えば円形）にする場合、発光素子が発した照明光を液晶表示パネルに導く導光部材に直線状の受光部が必要になり、液晶表示装置の外観も円形にすることは困難であるという問題を有していた。
本発明は、この問題に鑑みなされたものであり、液晶表示装置の外観を矩形以外の形状にすることを可能とすることを目的とする。
【課題を解決するための手段】
【０００５】
本発明は、請求項１に記載したように、液晶表示パネル１０と、前記液晶表示パネル１０を照明する照明光Ｌを発する複数の発光素子２０，２１，２２，２３，２４，２７と、前記発光素子２０，２１，２２，２３，２４，２７を搭載する回路基板５０と、前記照明光Ｌを前記液晶表示パネル１０に導く導光部材４０と、を備え、前記発光素子２０，２１，２２，２３，２４，２７は、前記回路基板５０に円弧状に配置されているものである。
【０００６】
また、本発明は、請求項２に記載したように、前記導光部材４０は、前記発光素子２０，２１，２２，２３，２４，２７が発した前記照明光Ｌを受光する円弧状の受光部４３，４９を有するものである。
【０００７】
また、本発明は、請求項３に記載したように、前記導光部材４０の前記受光部４３は、円筒面からなる受光面４３ｂを有するものである。
【０００８】
また、本発明は、請求項４に記載したように、前記発光素子２０，２１，２２，２３，２４はサイドビュー型の発光ダイオードであると共に、前記導光部材４０は前記照明光Ｌを反射させる反射面４３ａ，４４を有するものである。
【０００９】
また、本発明は、請求項５に記載したように、前記反射面４３ａ，４４は、液晶表示パネルの垂直方向に前記照明光を反射させる第一の反射面と、前記液晶表示パネルと平行な方向に、前記第一の傾斜面で反射された前記照明光を反射させる第二の反射面と、を有するものである。
【００１０】
また、本発明は、請求項６に記載したように、少なくとも１個の前記発光素子２２，２３，２４は、前記発光素子２２，２３，２４の光軸が半径方向から所定角度θ１，θ２，θ３を有するように配置されているものである。
【００１１】
また、本発明は、請求項７に記載したように、少なくとも１個の前記発光素子２３は、前記発光素子２３の光軸が半径方向から第一の所定角度θ２を有し、少なくとも１個の前記発光素子２４は、前記発光素子２４の光軸が半径方向から第二の所定角度θ３を有するように配置されているものである。
【００１２】
また、本発明は、請求項８に記載したように、前記液晶表示パネル１０と前記回路基板５０とを電気的に接続する弾性導電部材３０を備えるものである。
【００１３】
また、本発明は、請求項９に記載したように、前記導光部材４０は、前記弾性導電部材３０を屈曲状態で保持する貫通孔４１を有するものである。
【００１４】
なお、本発明における「所定角度」とは、０度以外の角度を意味しており、０度は含まない。また、「第二の所定角度」とは、第一の所定角度と異なる角度を意味しており、第一の所定角度と同一の角度を含まない。
【発明の効果】
【００１５】
複数の発光素子を円弧状に配置したことにより、液晶表示装置の外観を矩形以外の形状にすることが可能になる。
【図面の簡単な説明】
【００１６】
【図１】本発明の第一実施形態を示す正面図。
【図２】同上実施形態を示す断面図。
【図３】同上実施形態を示す断面図。
【図４】同上実施形態を示す回路基板の正面図。
【図５】同上実施形態を示す導光部材の正面図及び断面図。
【図６】同上実施形態を示す要部拡大断面図。
【図７】本発明の第二実施形態を示す回路基板の正面図。
【図８】同上実施形態を示す導光部材の正面図。
【図９】本発明の第三実施形態を示す回路基板の正面図。
【図１０】同上実施形態を示す導光部材の正面図。
【図１１】本発明の第四実施形態を示す回路基板の正面図。
【図１２】同上実施形態を示す導光部材の正面図。
【図１３】同上実施形態を示す要部拡大断面図。
【発明を実施するための形態】
【００１７】
以下、添付図面に基づいて、本発明の一実施形態を説明する。図１乃至図６は、第一実施形態を示すものである。液晶表示装置は、液晶表示パネル１０，発光ダイオード２０，導電ゴム３０，導光部材４０，回路基板５０等を備えており、正面視で円形になっている。
【００１８】
液晶表示パネル１０は、透明電極が形成された一対の透光性基板１１ａ，１１ｂに液晶を封入した液晶セル１１の前後両面に偏光板（図示しない）を貼着したものである。液晶表示パネル１０は、正面視で円形になっている。液晶表示パネル１０は、複数の表示セグメント１２を有しており、これらの表示セグメント１２は日字形に配置されている。液晶表示パネル１０の後面には、光拡散板８０が配設されている。
【００１９】
発光ダイオード２０は、サイドビュー型ＬＥＤ（Light Emitting Diode）からなるものであり、白色の照明光を発する。発光ダイオード２０は、回路基板５０の後面５０ｂに搭載されている。発光ダイオード２０は、導光部材４０の受光部４３に照明光を照射する。発光ダイオード２０が発する照明光Ｌの光軸は、回路基板５０の後面５０ｂと平行になっており、放射状に照明光Ｌを発する。
【００２０】
導電ゴム３０は、多数の導電部と多数の絶縁部とが交互に積層されてなるものであり、液晶表示パネル１０と回路基板５０とを電気的に接続する。導電ゴム３０の一端は液晶表示パネル１０の端子部に導通され、導電ゴム３０の他端は回路基板５０の端子部５１に導通されている。導電ゴム３０は、導光部材４０に保持される前では平板形状になっているが、導光部材４０の貫通孔４１に保持されて、正面視で円弧状に屈曲状態になっている。
【００２１】
導光部材４０は、ポリカーボネート，アクリル等の透光性樹脂からなるものであり、発光ダイオード２０が発した照明光Ｌを液晶表示パネル１０の後面に導く。導光部材４０は、正面視で円形になっており、液晶表示パネル１０と略同じ大きさである。導光部材４０の前面４０ａは平滑面になっている。導光部材４０の後面には、照明光Ｌを拡散させるため、微細な凹凸が形成されている。
【００２２】
導光部材４０は円弧状の貫通孔４１を有しており、この貫通孔４１に導電ゴム３０が嵌入されている。導光部材４０は、前面４０ａから前方に突出する２個の突出部４７を有している。導光部材４０の突出部４７は正面視で円弧状になっており、液晶表示パネル１０の透光性基板１１ａに当接する。導光部材４０の突出部４７は、貫通孔４１の外側に形成されている。
【００２３】
導光部材４０は、後面４０ｂから後方に突出する受光部４３を有している。導光部材４０の受光部４３は円弧状になっており、発光ダイオード２０が発した照明光Ｌを受光する。導光部材４０の受光部４３は、発光ダイオード２０が発した照明光Ｌが入射する受光面４３ｂと、この受光面４３ｂから入射した照明光Ｌを液晶表示パネル１０に垂直な方向に反射させる反射面４３ａを有している。導光部材４０の受光面４３ｂは円筒面になっており、発光ダイオード２０の出光部は導光部材４０の受光面４３ｂと対向している。導光部材４０の反射面４３ａは円錐面になっている。
【００２４】
受光部４３の反射面４３ａで反射された照明光Ｌは、反射面４４で液晶表示パネル１０と平行な方向に更に反射される。導光部材４０の反射面４４は円錐面になっている。導光部材４０の反射面４４は、平滑面になっていても良いし、微細な凹凸を有していても良い。また、導光部材４０の反射面４４に、断面三角形の多数の反射部を形成しても良い。
【００２５】
回路基板５０は、ガラスエポキシ樹脂からなる基材に銅箔からなる配線パターンを形成した硬質プリント配線板からなるものである。回路基板５０には、液晶表示パネル１０を制御する制御回路（図示しない）が搭載されている。回路基板５０は、液晶表示パネル１０と平行に配置されている。回路基板５０の前面５０ａは、導光部材４０の後面４０ｂに対向している。
【００２６】
ケース体６０は、不透明な樹脂からなるものであり、液晶表示パネル１０の表示セグメント１２が視認できるように、円形の開口部６１を有している。ケース体６０は、後面カバー７０を係止する係止部６２を有している。後面カバー７０は、係止部６２によってケース体６０に係止される。
【００２７】
図４は、回路基板５０の後面側正面図である。回路基板５０の後面５０ｂには、５個の発光ダイオード２０が円弧状に搭載されている。発光ダイオード２０の光軸は半径方向になっており、発光ダイオード２０は照明光Ｌを半径方向の外向きに出射する。発光ダイオード２０は、導光部材４０の受光部４３に沿うように配置されている。
【００２８】
図５（ａ）は導光部材４０の前面側正面図、図５（ｂ）は導光部材４０の断面図、図５（ｃ）は導光部材４０の後面側正面図である。導光部材４０には、左右対称の２個の貫通孔４１が形成されている。導光部材４０の貫通孔４１は、正面視で円弧状になっており、導電ゴム３０は、正面視でケース体６０の開口部６１に沿うように円弧状に屈曲して、導光部材４０の貫通孔４１に保持される。
【００２９】
図７及び図８は、第二実施形態を示すものである。第二実施形態は、第一実施形態に比して、回路基板５０に搭載される発光ダイオード２１，２２が異なるだけであり、他の構成は第一実施形態と同様である。
【００３０】
発光ダイオード２１，２２は、サイドビュー型ＬＥＤからなるものであり、白色の照明光を発する。発光ダイオード２１，２２は、回路基板５０の後面５０ｂに搭載されている。発光ダイオード２１，２２は、導光部材４０の受光部４３に照明光Ｌを照射する。発光ダイオード２１，２２は、導光部材４０の受光部４３に沿うように、円弧状に配置されている。
【００３１】
第二実施形態では、回路基板５０の後面５０ｂには、３個の発光ダイオード２１，２２が円弧状に搭載されている。発光ダイオード２１の光軸は半径方向になっており、発光ダイオード２０は照明光Ｌを半径方向の外向きに出射する。２個の発光ダイオード２２の光軸は、半径方向に対して所定角度θ１を有している。発光ダイオード２１は、２個の発光ダイオード２２の間に配置されている。
【００３２】
図９及び図１０は、第三実施形態を示すものである。第三実施形態は、第一実施形態に比して、回路基板５０に搭載される発光ダイオード２３，２４が異なるだけであり、他の構成は第一実施形態と同様である。
【００３３】
発光ダイオード２３，２４は、サイドビュー型ＬＥＤからなるものであり、白色の照明光を発する。発光ダイオード２３，２４は、回路基板５０の後面５０ｂに搭載されている。発光ダイオード２４，２５は、導光部材４０の受光部４３に照明光Ｌを照射する。発光ダイオード２１，２２は、導光部材４０の受光部４３に沿うように、円弧状に配置されている。
【００３４】
第三実施形態では、回路基板５０の後面５０ｂには、４個の発光ダイオード２３，２４が円弧状に搭載されている。２個の発光ダイオード２３の光軸は、半径方向に対して所定角度θ２を有している。２個の発光ダイオード２４の光軸は、半径方向に対して所定角度θ３を有している。発光ダイオード２３は、発光ダイオード２４の間に配置されている。所定角度θ３は、所定角度θ２よりも大きくなっている。
【００３５】
図１１乃至図１３は、第四実施形態を示すものである。第四実施形態は、第一実施形態に比して、主に発光ダイオード２７及び受光部４９が異なる。
【００３６】
導光部材４０は、後面４０ｂから後方に突出する受光部４９を有している。導光部材４０の受光部４９は円弧状になっており、発光ダイオード２７が発した照明光Ｌを受光する。導光部材４０の受光部４９は、発光ダイオード２７が発した照明光Ｌが入射する受光面４９ｂを有している。導光部材４０の受光面４９ｂは、発光ダイオード２７の出光部と対向している。
【００３７】
発光ダイオード２７は、トップビュー型ＬＥＤからなるものであり、白色の照明光を発する。発光ダイオード２７は、回路基板５０の前面５０ａに搭載されている。発光ダイオード２７は、導光部材４０の受光部４９に照明光Ｌを照射する。発光ダイオード２７は、導光部材４０の受光部４９に沿うように、円弧状に配置されている。
【００３８】
各実施形態は、照明光Ｌを受光する円弧状の受光部４３，４９を導光部材４０に設ける共に、導光部材４０の受光部４３，４９に沿うように、発光ダイオード２０，２１，２２，２３，２４，２７を円弧状に配置したことにより、円形の液晶表示パネル１０を透過照明することができ、且つ、液晶表示装置の外観が円形になっている。
【００３９】
発光ダイオード２２，２３，２４の半径方向に対する所定角度θ１，θ２，θ３は、発光ダイオード２２，２３，２４の指向特性や、発光ダイオード２２，２３，２４を搭載する位置等に応じて、適宜選定されるものである。
【００４０】
なお、本発明は、各実施形態に限定されるものではなく、種々の変形が可能である。例えば、本実施形態では、液晶表示パネル１０は正面視で円形であったが、正面視で半円形であっても良い。また、各実施形態は、液晶表示パネル１０と回路基板５０とを導電ゴム３０にて接続するものであったが、液晶表示パネル１０と回路基板５０とを金属製のリードピンにて接続しても良い。
【符号の説明】
【００４１】
１０    液晶表示パネル
２０    発光ダイオード（発光素子）
２１    発光ダイオード（発光素子）
２２    発光ダイオード（発光素子）
２３    発光ダイオード（発光素子）
２４    発光ダイオード（発光素子）
２７    発光ダイオード（発光素子）
３０    導電ゴム（弾性導電部材）
４０    導光部材
４１    貫通孔
４３    受光部
４３ａ  反射面（第一の反射面）
４３ｂ  受光面
４４    反射面（第二の反射面）
４９    受光部
４９ｂ  受光面
５０    回路基板
θ１    所定角度
θ２    所定角度（第一の所定角度）
θ３    所定角度（第二の所定角度）
【図１】
2013257360.tif 000003
【図２】
2013257360.tif 000004
【図３】
2013257360.tif 000005
【図４】
2013257360.tif 000006
【図５】
2013257360.tif 000007
【図６】
2013257360.tif 000008
【図７】
2013257360.tif 000009
【図８】
2013257360.tif 000010
【図９】
2013257360.tif 000011
【図１０】
2013257360.tif 000012
【図１１】
2013257360.tif 000013
【図１２】
2013257360.tif 000014
【図１３】
2013257360.tif 000015